(57)【要約】【課題】従来の排便処理機は、湾曲シート形の屎尿受け容器に、屎尿を吸引するポンプを備えた負圧形成管と、洗浄水用のノズルを、夫々付設する構造等があり、負圧形成管を介して吸込んだ屎尿を、吐出口より下水用排水溝に排出する。よって、屎尿処理における要介護者の負担となる多大の時間・手間を要する問題や、介護者不足の解消と、屎尿によるかぶれや爛れを起こし易いおしめ着用による弊害解消と、汚臭・羞恥心・ストレス・膀胱炎等の余病の併発の解消等が図れる。【構成】本発明は、便器の後部に洗浄用ノズルを前後動可能に設け、かつ洗浄用ノズルに併設して排便吸込み用ノズルを前後動可能に設け、排便吸込み用ノズルに連設した配管にポンプを配備し、便器に便座を開閉自在に装着し、ポンプを備えた配管を、便器に設けた排便用の開口に接続する構成とした排便吸込み機能を付加した便器の構造である。【選択図】図１−１
2009275380.tif 000002
【特許請求の範囲】
【請求項１】
便器の後部に洗浄用ノズルを前後動可能に設けるとともに、この洗浄用ノズルに併設して排便吸込み用ノズルを前後動可能に設け、この排便吸込み用ノズルに連設した配管にポンプを配備し、この便器に便座を開閉自在に装着し、
前記ポンプを備えた配管を、前記便器に設けた排便用の開口に接続する構成とした排便吸込み機能を付加した便器の構造。
【請求項２】
請求項１に記載の排便吸込み機能を付加した便器の構造であって、
前記洗浄用ノズルと、前記排便吸込み用ノズルを、それぞれシリンダ内に収容し、同一、又は個別の制御機構を介して、このシリンダより、個別に前後動可能とする構成とした排便吸込み機能を付加した便器の構造。
【請求項３】
請求項１に記載の排便吸込み機能を付加した便器の構造であって、
前記洗浄用ノズルと、前記排便吸込み用ノズルを、同じシリンダ内に収容し、前記制御機構を介して、このシリンダより、個別に前後動可能とする構成とした排便吸込み機能を付加した便器の構造。
【請求項４】
請求項１に記載の排便吸込み機能を付加した便器の構造であって、
前記洗浄用ノズルと、排便吸込み用ノズルを、一体構造とした一本の総合ノズルとするとともに、この排便吸込み用ノズルの開口より、洗浄水を噴射する構成とした排便吸込み機能を付加した便器の構造。
【請求項５】
請求項４に記載の排便吸込み機能を付加した便器の構造であって、
前記洗浄用ノズルと、排便吸込み用ノズルを、総合ノズルとした構造であり、この総合ノズルに設けた切替弁を介して、前記洗浄用ノズルからの洗浄水の噴射と、排便吸込み用ノズルからの排便吸込みを切替可能とする構成とした排便吸込み機能を付加した便器の構造。
【発明の詳細な説明】
【技術分野】
【０００１】
本発明は、便器に一体に組付けられる（設けられる）排便吸込み機能を付加した便器の構造に関する。
【背景技術】
【０００２】
従来、排便に難渋する人々、例えば、便秘症の人、術後の人等は、スムーズな排便や、健康で安心した生活を維持するために、神経を使いつつ、かつ時には、気分がめいることもあり得る。それがために、排便補助用の器具（排便器具）が開発されている。その一例を文献から見てみると、次のような排便器具がある。例えば、特開２００６−３４５７７の「排便器具」と、特開２００２−３４８５５の「真空式排便乾燥器」、又は特開２００１−２５９０１９の「採便器」がある。これらの排便器具は、前述の目的を達成するには、極めて、有効である。しかし、これらの排便器具は、便器とは個別の排便器具であり、排便収容後に、その便を、便器内等において処理する必要があるので、処理の煩雑化と、臭気の問題、並びに羞恥心等に関する精神的苦痛等の改良すべき問題が考えられる。
【０００３】
前記発明の改良と、擬似便器との組合せに関する先行文献（１）と、先行文献（２）を、以下、説明する。
【０００４】
この文献（１）は、特開平９−１０３３９０号の「負圧吸引による屎尿処理方法及び屎尿処理装置」である。この発明の構成は、湾曲シート形の屎尿受け容器に、屎尿を吸引する負圧形成管と、洗浄用ノズルを、それぞれ付設し、この負圧形成管にジェットポンプを付設する構造であり、この負圧形成管を介して吸込んだ屎尿を、吐出口より下水用排水溝に排出することを特徴とする。そして、この発明の効果は、屎尿処理における一人の要介護者に負担する多大の時間及び／又は手間を要する問題や、看護婦等の介護者不足の解消と、屎尿によるかぶれや爛れを起こし易い“おしめ”着用による弊害解消と、汚臭、及び／又は羞恥心・ストレス・膀胱炎等の余病の併発の解消等が図れることにある。
【０００５】
また、文献（２）は、特開２００４−１６０１１３の「ベッド排泄介護装置」である。この発明の構成は、台板上に、温水洗浄器、真空吸引機、脱臭器を取付け、この温水洗浄器に付設した温水チューブを介して洗浄ノズルを設け、また吸引ホースの先端に吸引ノズルを付設し、この吸引ノズルを介して、吸込んだ排便を、人体の腰下に挿入したニューオマルの上に敷設した便袋に収容する構成である。この発明の特徴は、ベッド上での排便（屎尿）介護において、必要な局部洗浄・吸引・脱臭を効率良く行うこと、また、排泄物・オムツ・洗浄水を使い捨て便袋に、収容し、その後、一括廃棄し、介護の省力化と、カブレ防止、環境良化を図ることにある。
【０００６】
【特許文献１】特開平９−１０３３９０号
【特許文献２】特開２００４−１６０１１３
【発明の開示】
【発明が解決しようとする課題】
【０００７】
文献（１）は、擬似便器であり、本来の便器ではないので、以下の改良点が挙げられる。「１」  便器に直接排便する構造ではなく、その処理に難渋すること、「２」  健常者には抵抗があり、使用に臆すること、「３」  また、トイレにおける排便行為でないので、違和感があることや、自宅以外での使用は極めて困難視されること、「４」  汎用性に欠けること、「５」  公衆便所への採用は困難であること、等が考えられる。
【０００８】
文献（２）は、ニューオマル上の便袋であり、本来の便器ではないので、以下の改良点が挙げられる。「１」  便器に直接排便する構造ではなく、便袋であり、その処理に困ること、及び難渋すること、「２」  健常者には抵抗があり、使用に躊躇すること、「３」  また、トイレにおける排便行為でないので、違和感があることや、自宅以外での使用は極めて困難であること、「４」  汎用性に欠けること、「５」  公衆便所への採用は困難であること、等が考えられる。
【課題を解決するための手段】
【０００９】
請求項１の発明は、健常者も違和感なく使用でき、かつ通常の排便と変わることなく、排便をスムーズに行ない得ること、また、便秘の健常者においても、排便に対して、違和感なく（安心して）使用が可能で、快適に楽しく排便処理ができる構造を提供すること、等を意図する。またこの請求項１の発明は、従来の便器に僅かな改良を加えるだけで、本来の機能を確保しつつ、排便を確実に達成すること等を意図する。さらに請求項１の発明は、便器の大きさ及び／又は形状を変更することなくセットできる、排便吸込み機能を付加した便器の構造を提供することを意図する。
【００１０】
請求項１は、便器の後部に洗浄用ノズルを前後動可能に設けるとともに、この洗浄用ノズルに併設して排便吸込み用ノズルを前後動可能に設け、この排便吸込み用ノズルに連設した配管にポンプを配備し、この便器に便座を開閉自在に装着し、
前記ポンプを備えた配管を、前記便器に設けた排便用の開口に接続する構成とした排便吸込み機能を付加した便器の構造である。
【００１１】
請求項２の発明は、請求項１の目的を達成することと、この目的を達成するに最適な、洗浄用ノズル、及び排便吸込み用ノズルと、シリンダとの構造を提供することを意図する。
【００１２】
請求項２は、請求項１に記載の排便吸込み機能を付加した便器の構造であって、
前記洗浄用ノズルと、前記排便吸込み用ノズルを、それぞれシリンダ内に収容し、同一、又は個別の制御機構を介して、このシリンダより、個別に前後動可能とする構成とした排便吸込み機能を付加した便器の構造である。
【００１３】
請求項３の発明は、請求項１の目的を達成することと、この目的を達成するに最適な、シリンダ内に収容した、洗浄用ノズル、及び排便吸込み用ノズルと、制御機構との構造を提供することを意図する。
【００１４】
請求項３は、請求項１に記載の排便吸込み機能を付加した便器の構造であって、
前記洗浄用ノズルと、前記排便吸込み用ノズルを、同じシリンダ内に収容し、前記制御機構を介して、このシリンダより、個別に前後動可能とする構成とした排便吸込み機能を付加した便器の構造である。
【００１５】
請求項４の発明は、請求項１の目的を達成することと、この目的を達成するに最適な、一体構造の洗浄用ノズル及び排便吸込み用ノズルを提供し、この排便吸込み用ノズルを多目的な構造として利用することを意図する。
【００１６】
請求項４は、請求項１に記載の排便吸込み機能を付加した便器の構造であって、
前記洗浄用ノズルと、排便吸込み用ノズルを、一体構造とした一本の総合ノズルとするとともに、この排便吸込み用ノズルの開口より、洗浄水を噴射する構成とした排便吸込み機能を付加した便器の構造である。
【００１７】
請求項５の発明は、請求項４の目的を達成することと、この目的を達成するに最適な、一体構造の洗浄用ノズル、及び排便吸込み用ノズルを、総合ノズルとし、この総合ノズルに切替弁を付設し、この排便吸込み用ノズルを多目的な構造として利用することを意図する。
【００１８】
請求項５は、請求項４に記載の排便吸込み機能を付加した便器の構造であって、
前記洗浄用ノズルと、排便吸込み用ノズルを、総合ノズルとした構造であり、この総合ノズルに設けた切替弁を介して、前記洗浄用ノズルからの洗浄水の噴射と、排便吸込み用ノズルからの排便吸込みを切替可能とする構成とした排便吸込み機能を付加した便器の構造である。
【発明の効果】
【００１９】
請求項１の発明は、便器の後部に洗浄用ノズルを前後動可能に設けるとともに、洗浄用ノズルに併設して排便吸込み用ノズルを前後動可能に設け、排便吸込み用ノズルに連設した配管にポンプを配備し、便器に便座を開閉自在に装着し、
ポンプを備えた配管を、便器に設けた排便用の開口に接続する構成とした排便吸込み機能を付加した便器の構造である。
【００２０】
従って、請求項１は、健常者も違和感なく使用でき、かつ通常の排便と変わることなく、排便をスムーズに行ない得ること、また、便秘の健常者においても、排便に対して、違和感なく（安心して）使用が可能で、快適に楽しく排便処理ができる構造を提供できること、等の特徴を有する。またこの請求項１は、従来の便器に僅かな改良を加えるだけで、本来の機能を確保しつつ、排便を確実に達成できる実益を有する。さらに請求項１は、便器の大きさ及び／又は形状を変更することなくセットできる、排便吸込み機能を付加した便器の構造を提供できる利点がある。
【００２１】
請求項２の発明は、請求項１に記載の排便吸込み機能を付加した便器の構造であって、
洗浄用ノズルと、排便吸込み用ノズルを、それぞれシリンダ内に収容し、同一、又は個別の制御機構を介して、シリンダより、個別に前後動可能とする構成とした排便吸込み機能を付加した便器の構造である。
【００２２】
従って、請求項２は、請求項１の目的を達成できることと、この目的を達成するに最適な、洗浄用ノズル、及び排便吸込み用ノズルと、シリンダとの構造を提供できること、等の特徴を有する。
【００２３】
請求項３の発明は、請求項１に記載の排便吸込み機能を付加した便器の構造であって、
洗浄用ノズルと、排便吸込み用ノズルを、同じシリンダ内に収容し、制御機構を介して、シリンダより、個別に前後動可能とする構成とした排便吸込み機能を付加した便器の構造である。
【００２４】
従って、請求項３は、請求項１の目的を達成できることと、この目的を達成するに最適な、シリンダ内に収容した、洗浄用ノズル、及び排便吸込み用ノズルと、制御機構との構造を提供できること、等の特徴を有する。
【００２５】
請求項４の発明は、請求項１に記載の排便吸込み機能を付加した便器の構造であって、
洗浄用ノズルと、排便吸込み用ノズルを、一体構造とした一本の総合ノズルとするとともに、排便吸込み用ノズルの開口より、洗浄水を噴射する構成とした排便吸込み機能を付加した便器の構造である。
【００２６】
従って、請求項４は、請求項１の目的を達成できることと、この目的を達成するに最適な、一体構造の洗浄用ノズル及び排便吸込み用ノズルを提供し、この排便吸込み用ノズルを多目的な構造として利用できること、等の特徴を有する。
【００２７】
請求項５の発明は、請求項４に記載の排便吸込み機能を付加した便器の構造であって、
洗浄用ノズルと、排便吸込み用ノズルを、総合ノズルとした構造であり、総合ノズルに設けた切替弁を介して、洗浄用ノズルからの洗浄水の噴射と、排便吸込み用ノズルからの排便吸込みを切替可能とする構成とした排便吸込み機能を付加した便器の構造である。
【００２８】
従って、請求項５は、請求項４の目的を達成できることと、この目的を達成するに最適な、一体構造の洗浄用ノズル、及び排便吸込み用ノズルを、総合ノズルとし、この総合ノズルに切替弁を付設し、この排便吸込み用ノズルを多目的な構造として利用できること、等の特徴を有する。
【発明を実施するための最良の形態】
【００２９】
本発明の一例を説明する。
【００３０】
図面の説明をすると、図１−１は便器の一例であり、便座を敷設した状態の模式図、図１−２は便器の一例であり、便座を開放した状態の模式図、図２−１は便器の一部と、洗浄用ノズルとシリンダの関係を説明する拡大側面図、図２−２は便器の一部と、排便吸込み用ノズルとシリンダの関係を説明する拡大側面図、図２−３は便器の一部と、総合ノズルとシリンダの関係を説明する拡大側面図、図３−１は洗浄用ノズルの一部を示した拡大斜視図、図３−２は洗浄用ノズルにおけるノズルチップを分解した状態を示した拡大斜視図、図３−３は洗浄用ノズルにおけるノズルを分解した状態を示した拡大斜視図、図４−１は排便吸込み用ノズルの動作を示したフローチャート、図４−２は洗浄用ノズルの動作を示したフローチャート、図５は総合ノズルの構造を示した要部模式図、図６は総合ノズルの動作を示したフローチャートである。
【００３１】
図１〜図４−２の例は、第一の実施例を示しており、図において、１はボウル１００と座面部１０１を備えた便器で、この便器１の後部１ａには開口部２を設ける。そして、この開口部２には、噴射口３０１を設けた洗浄用ノズル３と、排便吸込み用ノズル５が、筒状のシリンダ３００、５００に、適宜隙間をもって、それぞれ前後動可能に収容される構造とし、この洗浄用ノズル３と、排便吸込み用ノズル５を、便器１の開口部２から出没自在とする。そして、このシリンダ３００、５００は、前記後部１ａの開口部２内に固止されている。この排便吸込み用ノズル５の先端部には、着脱（取替）自在のノズル本体５０１が設けられる。このノズル本体５０１には、吸込口５０２が開口されるとともに、鍔片５０３が設けられており、人の肛門の近辺（臀部）に密着可能な構造となっている。また、このノズル本体５０１にオイルを噴霧する噴霧手段（図示せず）が付設されている。尚、噴霧手段はスプレー方式、塗布方式も可能である。このノズル本体５０１にオイル（薬液又は治療薬等入りオイルとすることも可能）を噴霧することで、肛門内へのスムーズな挿入と引抜きが可能となり、有益であること、又は術後においても使用できるので、極めて有効である。そして、この例では、洗浄用ノズル３と排便吸込み用ノズル５が、図示しない制御機構を介して、個別に制御される。この一例では、図４−１と、図４−２に示されており、個々に説明する。
【００３２】
最初に、排便吸込み用ノズル５を説明すると、この一例では、図４−１に示されており、排便吸込み用ノズル５をスタートし（ＳＴ−１）、この排便吸込み用ノズル５が前進し（ＳＴ−２）、必要により、取替えたノズル本体５０１に、オイルの噴霧をする。そして、肛門内にノズル本体５０１が進入し（自動が望ましいが、本人及び／又は介護者の手動もあり得る）、かつ鍔片５０３が臀部に密着支持される。この状態において、前記排便吸込み用ノズル５に連設する、可撓性、又は硬質性でなる排便吸込み用配管８（配管）と、この排便吸込み用ノズル５に配備したポンプ７の吸引によって、その吸込口５０２より便を吸込み、かつ鍔片５０３の臀部への密着支持を介して、屎尿及び／又は空気漏れを極力、少なくして、スムーズな吸込みを図る構造である（ＳＴ−３）。そして、吸込み完了（ＳＴ−４）後に、容器内に排便が一杯になった段階で（容器をセットする構造の例では）、図示しないセンサーが作動し、かつ排便吸込み用ノズル５が後退し（ＳＴ−５）、必要により、ノズル本体５０１を脱抜する。そして、このノズル本体５０１を溶解性とすることで、便器１内に廃棄できる利便性と、簡便かつ衛生的な取扱が可能となり重宝する。また、必要により、排便吸込み用ノズル５を逆洗する（ＳＴ−６）。以上の操作を介して、排便の吸込と、これに関連する作業を終了する（ＳＴ−７）。
【００３３】
次に、洗浄用ノズル３を説明すると、この一例では、図４−２に示されており、洗浄用ノズル３をスタートし（ＳＴ−１０）、この洗浄用ノズル３が前進し（ＳＴ−１１）、その洗浄用ノズル３より、洗浄水の噴霧をする。尚、この洗浄水を水とする場合は、清潔かつ簡易であり、薬液や治療薬等とする場合は、清潔で、患部の治療に最適である。この水や、薬液や治療薬等を、洗浄用ノズル３を複数設けて、選択的に噴霧することや、切替弁等を用いて、１本の洗浄用ノズル３で、切替式又は同時に噴霧することも可能である。そして、肛門内及び／又は臀部を洗浄する（ＳＴ−１２）。そして、洗浄が終了（ＳＴ−１３）した後に、この洗浄用ノズル３が後退する（ＳＴ−１４）。また、必要により、臀部を温風乾燥する（ＳＴ−１４）。以上の操作を介して、排便後の洗浄と、これに関連する作業を終了し、自動停止する（ＳＴ−１６）。
【００３４】
尚、前述の如く、ノズル本体５０１を取換えることで、何人も安心して排便ができ、病気の蔓延を防止できる。
【００３５】
そして、図中９は便座、１０は洗浄用ノズル３に接続された硬質性でなる洗浄用配管を示す。また１１はカバーで、このカバー１１は、洗浄用ノズル３、排便吸込み用ノズル５、また図示しない、タンク、制御部、電動開閉ユニット、暖房ユニット、コントローラ等の各種機器を、ガードする構造である。尚、前記ポンプ７を備えた排便吸込み用配管８を、前記便器１（ボウル１００）に設けた排便用の開口（図示しない）に接続し、ボウル１００に送る。また、排便吸込み用配管８を、直接下水道管に連結する構成も可能であり、この場合は、簡便で、有益であるが、ポンプ７の容量に変更を加えることが望ましい。
【００３６】
また、図２−３は、洗浄用ノズル３、排便吸込み用ノズル５を、総合形のシリンダ１２にペアで挿入した一例を示しており、その動きは、原則として、前述の例に準ずる。
【００３７】
尚、図３−１〜図３−２は、排便吸込み用ノズル５の好ましい一例を示しており、この図３−２は、ノズルチップ５０１ａを、ノズル本体５０１より、着脱自在に設けた構造を示しており、このノズルチップ５０１ａを、軟質部材で構成する。これにより、肛門内への違和感ない挿入と、速やかな溶融を図ること、清潔感と、汚染回避を図ること等を意図する。また、図３−３は、ノズル５０１ｂを、ノズル本体５０１より、着脱自在に設けた構造を示しており、このノズル５０１ｂを、軟質部材で構成する。これにより、肛門内への違和感ない挿入と、速やかな溶融を図ること等を意図する。また、ノズル５０１ｂの大きさを利用し、着脱の容易化を図る。そして、ノズル本体５０１の差込み部位の汚物は、洗浄等で清潔にでき、また、ノズルチップ５０１ａ、ノズル５０１ｂの構造の工夫で対応できる。
【００３８】
次に、図５、図６の例は、第二の実施例を示しており、この例では、洗浄用ノズル３、排便吸込み用ノズル５を、総合ノズル２０として一体化する構造であり、この総合ノズル２０に、排便吸込み用ノズル５（又は、ノズル本体５０１に、（臀部の動きに対応する）可撓性でなる連結管５０１ｃを介して、可撓性、又は硬質性でなる総合配管２１に連通する構成とする。他の例も同じとする。）を設ける構造とする。そして、この総合配管２１に切替弁２２を介して、可撓性、又は硬質性でなる排便吸込み用配管８と、硬質性でなる洗浄水用配管１０にそれぞれ接続する構造である。その他の構造は、前述の例に準ずる。
【００３９】
そして、この第二の実施例の使用の方法を、図６を基にして説明すると、総合ノズル２０を構成する排便吸込み用ノズル５をスタートし（ＳＴ−２０）、この総合ノズル２０が前進し（ＳＴ−２１）、必要により、取替えたノズル本体５０１に、オイルの噴霧をする。そして、肛門内にノズル本体５０１が進入し、かつ鍔片５０３が臀部に密着支持される。この状態において、前記総合ノズル２０に接続される、可撓性、又は硬質性でなる排便吸込み用配管８（配管）と、この総合ノズル２０に配備したポンプ７の吸引によって、その吸込口５０２より便を吸込み、かつ鍔片５０３の臀部への密着支持を介して、屎尿及び／又は空気漏れを極力、少なくして、スムーズな吸込みを図る構造である（ＳＴ−２２）。そして、容器内に排便が一杯になった段階で、図示しないセンサーが作動し、かつ吸込み完了（ＳＴ−２３）後、総合ノズル２０が後退し（ＳＴ−２４）、必要により、ノズル本体５０１を脱抜する。そして、このノズル本体５０１を溶解性とすることで、便器１内に廃棄できる利便性と、簡便かつ衛生的な取扱が可能となり重宝する。この操作を介して、排便の吸込と、これに関連する作業を終了する。その後、必要により、総合ノズル２０を逆洗する（ＳＴ−２５）。この逆洗は、切替弁２２を操作し（図示せず）、洗浄水用配管１０から、総合配管２１と総合ノズル２０を経由し、総合ノズル２０まで、洗浄することが望ましい。
【００４０】
その後、切替弁を作動させ（ＳＴ−２６）、この総合ノズル２０が前進し（ＳＴ−２７）、その総合ノズル２０を構成する洗浄用ノズル３より、水の噴霧をする。そして、肛門内及び／又は臀部を洗浄する（ＳＴ−２８）。そして、洗浄が終了した後（ＳＴ−２９）に、この総合ノズル２０が後退する（ＳＴ−３０）。また、必要により、臀部を温風乾燥される（ＳＴ−３１）。以上の操作を介して、排便後の洗浄が終了し、これに関連する作業を終了し、自動停止する（ＳＴ−３２）。
【図面の簡単な説明】
【００４１】
【図１−１】図１−１は便器の一例であり、便座を敷設した状態の模式図
【図１−２】図１−２は便器の一例であり、便座を開放した状態の模式図
【図２−１】図２−１は便器の一部と、洗浄用ノズルとシリンダの関係を説明する拡大側面図
【図２−２】図２−２は便器の一部と、排便吸込み用ノズルとシリンダの関係を説明する拡大側面図
【図２−３】図２−３は便器の一部と、総合ノズルとシリンダの関係を説明する拡大側面図
【図３−１】図３−１は洗浄用ノズルの一部を示した拡大斜視図
【図３−２】図３−２は洗浄用ノズルにおけるノズルチップを分解した状態を示した拡大斜視図
【図３−３】図３−３は洗浄用ノズルにおけるノズルを分解した状態を示した拡大斜視図
【図４−１】図４−１は排便吸込み用ノズルの動作を示したフローチャート
【図４−２】図４−２は洗浄用ノズルの動作を示したフローチャート
【図５】図５は総合ノズルの構造を示した要部模式図
【図６】図６は総合ノズルの動作を示したフローチャート
【符号の説明】
【００４２】
１            便器
１ａ          後部
１００        ボウル
１０１        座面部
２            開口部
３            洗浄用ノズル
３００        シリンダ
３０１        噴射口
５            排便吸込み用ノズル
５００        シリンダ
５０１        ノズル本体
５０１ａ      ノズルチップ
５０１ｂ      ノズル
５０１ｃ      連結管
５０２        吸込口
５０３        鍔片
７            ポンプ
８            排便吸込み用配管
９            便座
１０          洗浄水用配管
１１          カバー
１２          シリンダ
２０          総合ノズル
２１          総合配管
２２          切替弁
【図１−１】
2009275380.tif 000003
【図１−２】
2009275380.tif 000004
【図２−１】
2009275380.tif 000005
【図２−２】
2009275380.tif 000006
【図２−３】
2009275380.tif 000007
【図３−１】
2009275380.tif 000008
【図３−２】
2009275380.tif 000009
【図３−３】
2009275380.tif 000010
【図４−１】
2009275380.tif 000011
【図４−２】
2009275380.tif 000012
【図５】
2009275380.tif 000013
【図６】
2009275380.tif 000014